(57)【要約】【課題】遊技球の移動につき、排出のみならず、更に同じ路に戻る可能性を生じさせて、興味深い遊技球の移動を行える遊技機を提供する。【解決手段】遊技球を移動させる遊技球移動装置３１を備えており、遊技球移動装置３１は、遊技球を上昇させる上昇手段（階段基部５２及び可動段体５５、後車４０、（後中レール７０、）並びに側車３８）、及び遊技球の下降を案内する下降手段（右上球受７８、縦孔７９、上通路８５、カップ９０、螺旋筒９１、下通路部材９２、下球受１２１、下レール部５０）を含む遊技球の循環路と、遊技球を、前記循環路又は排出路に振分ける振分装置９３とを備えている。【選択図】図５
2014008088.tif 000002
【特許請求の範囲】
【請求項１】
遊技球を移動させる遊技球移動装置を備えており、
当該遊技球移動装置は、
前記遊技球を上昇させる上昇手段、及び前記遊技球の下降を案内する下降手段を含む前記遊技球の循環路と、
前記遊技球を、前記循環路又は排出路に振分ける振分装置と
を備えている
ことを特徴とする遊技機。
【請求項２】
前記上昇手段には、階段路が含まれており、
当該階段路は、
複数の段、及び各当該段ごとに開けられた階段孔を有する階段基部と、
前記階段孔に対応する突出段を有しており、当該突出段が対応する前記階段孔に対し出没するように上下動可能に設置される可動段体と
を備えている
ことを特徴とする請求項１に記載の遊技機。
【発明の詳細な説明】
【技術分野】
【０００１】
本発明は、遊技球を用いる遊技機に関する。
【背景技術】
【０００２】
従来の遊技機の一例であるパチンコ機として、下記特許文献１に記載のものが知られている。このパチンコ機では、遊技盤の中央部を占める変動入賞装置が設けられている。変動入賞装置は、遊技球を左右に振り分ける第一及び第二の振分装置に加え、左右方向を軸にして左右に並ぶ３個の回転体が含まれる回転体ユニットを有している。
左右の回転体は、左右回転体用のモータ及びギアで共に回転され、中央の回転体は、中央用のモータ及びギアで別個に回転される。又、各回転体には、周縁部を切り欠いて形成された複数の球保持部が形成される。一部の球保持部の底面は左に遊技球を流すように傾き、残部の球保持部の底面は右に遊技球を流すように傾いている。各球保持部は、回転体の回転により両側の案内壁の排出用開口に至るまで遊技球を保持し、左又は右の排出用開口にて底面の傾斜により回転体の左又は右に導くことで、遊技球を振分ける。
遊技球は、左又は右の回転体に導かれた後、一部が中央の回転体に導かれ、更にその一部が、入賞により大当り状態を生起する特定領域としての中央の回転体の右側領域に導かれる。
【先行技術文献】
【特許文献】
【０００３】
【特許文献１】特開２００８−２３２０６号公報
【発明の概要】
【発明が解決しようとする課題】
【０００４】
このようなパチンコ機では、遊技球が変動入賞装置の回転ユニット等により振分けられ、興味深い遊技球の流下ないし入賞が提供される。
しかし、変動入賞装置に導入された遊技球は、どのように振分けられたとしても、全て外部に排出され、遊技球の移動が一方通行になっている。
そこで、本発明は、遊技球の移動につき、排出のみならず、更に同じ路に戻る可能性を生じさせて、興味深い遊技球の移動をもたらすことが可能な遊技機を提供することを目的としたものである。
【課題を解決するための手段】
【０００５】
上記目的を達成するために、請求項１に記載の発明は、遊技球を移動させる遊技球移動装置を備えており、当該遊技球移動装置は、前記遊技球を上昇させる上昇手段、及び前記遊技球の下降を案内する下降手段を含む前記遊技球の循環路と、前記遊技球を、前記循環路又は排出路に振分ける振分装置とを備えていることを特徴とするものである。
請求項２に記載の発明は、上記発明にあって、前記上昇手段には、階段路が含まれており、当該階段路は、複数の段、及び各当該段ごとに開けられた階段孔を有する階段基部と、前記階段孔に対応する突出段を有しており、当該突出段が対応する前記階段孔に対し出没するように上下動可能に設置される可動段体とを備えていることを特徴とするものである。
【発明の効果】
【０００６】
請求項１に記載の発明によれば、遊技球の循環路と振分装置を備えるので、遊技球の一部を排出し一部を循環させるような、遊技球のバリエーションが豊富で、移動する遊技球の数の多い遊技球移動装置を有する遊技機を提供することができる、という効果を奏する。
請求項２に記載の発明によれば、階段基部と可動段体を有する階段路を組み込んだので、上記効果に加えて、遊技球の移動態様をより一層興味深いものとすることができる、という効果を奏する。
【図面の簡単な説明】
【０００７】
【図１】本発明に係るパチンコ機の前面説明図である。
【図２】図１のパチンコ機の後面説明図である。
【図３】図１のパチンコ機における遊技球移動装置の前面側斜視説明図である。
【図４】図３の遊技球移動装置の後面側斜視説明図である。
【図５】図３において前後を分けた説明図である。
【図６】後車及び側車等を外した状態における図３の遊技球移動装置の後部ユニットの後面側分解斜視説明図である。
【図７】図３の遊技球移動装置における振分装置の（ａ）前面，（ｂ）右側面の説明図である。
【図８】図７の振分装置の分解斜視説明図である。
【発明を実施するための形態】
【０００８】
以下、本発明に係る実施の形態の例につき、適宜図面に基づいて説明する。なお、当該形態は、下記の例に限定されない。
【０００９】
［パチンコ機の全体構成等］
図１は遊技機の一例であるパチンコ機１の前面説明図であり、図２はパチンコ機１の後面説明図である。
パチンコ機１は、周囲を覆う機枠３を備えており、パチンコ機１の前面上部には、透明板を嵌めた前扉４が、機枠３に対し片開き可能に蝶着されている。前扉４の後方には、前面に遊技球の流下する遊技領域を有する遊技盤（図示せず）が配置されている。遊技盤は、機枠３の前面上部において、ミドル枠５を介して設置されている。
遊技領域の遊技球流下部位には、多数の遊技釘や、各種の入賞口ないしは役物、あるいは各種の電飾部材や表示装置等が配置されている。
【００１０】
加えて、機枠３の前面側であって遊技盤の下方には、遊技球を発射装置１０へ供給するための供給皿７と、これから溢れた遊技球を貯留するための貯留皿８が取り付けられている。供給皿７は、前扉４の開放により、機枠３に対して片開き可能であり、貯留皿８は、ミドル枠５の開放により、機枠３に対して片開き可能である。
更に、貯留皿８の右側には、発射装置を作動させるためのハンドル９が回転操作可能に設置されている。加えて、供給皿７の前部には、遊技者が任意に押込操作可能なボタン２５が設けられている。
加えて、前扉４の上部には、効果音や各種メッセージ等を報音する一対のスピーカ１４，１４が設けられており、前扉４の側部には、遊技状態等に応じて点灯（適宜点滅を含む）する複数のＬＥＤを備えたランプ部材１５，１５が設けられている。
【００１１】
他方、機枠３の後面側には、遊技球を貯留するための貯留タンク１１や、これと連結され、供給皿７への遊技球（貸球や賞品球）の払出を行う払出装置１２、当該払出を制御する払出制御装置２８、各種の制御基板や装置・部材に電源電圧を供給するための電源装置２９等が設置されている。
又、機枠３の後面側中央には、センターカバー２１が設置されており、その内部には、各種の装置等（図示せず）が収められている。
当該装置としては、遊技に係る主たる制御（例えば大当り抽選）を実行する決定手段としてのメイン制御装置や、表示装置等を制御する表示制御装置、ランプ部材１５や電飾部材の点灯動作等を制御する発光制御装置、スピーカ１４からの報音動作を制御する音制御装置等を挙げることができる。
又、表示制御装置・発光制御装置・音制御装置等の動作を統合的に制御すると共に、電動役物の動作を制御するサブ制御装置が配される。
尚、機枠３の後面側の向かって右上には、トランスに接続されるプラグ２２と、アース２７とが接続されている。
【００１２】
そして、遊技領域の遊技球流下部位の下部ないしその後方には、以下に説明する遊技球移動装置３１が配置されている。
【００１３】
［遊技球移動装置の構成等］
次に、主に遊技球移動装置３１について説明する。
図３は遊技球移動装置３１の前面側斜視説明図であり、図４は遊技球移動装置３１の後面側斜視説明図であり、図５は図３において前後を分けた説明図である。
遊技球移動装置３１は、後部ユニット３２と、その前側に装着される前部ユニット３４とを含む。
【００１４】
後部ユニット３２は、ベース３５と、その後面中央左に配置される後車３６及び後車モータ３７と、ベース３５右上に配置される側車３８及び側車モータ３９を備える。
後車３６は、後車円盤４０に対し複数（６枚）のラジアルリブ４１，４１・・を付けた水車状の部材であって、各ラジアルリブ４１は、後車円盤４０の中心から延びており、後車円盤４０円周部に至る先端は、（１個の）遊技球を受入可能な鉤状に形成されている。後車３６は、前から見て、ベース３５の左辺から一部左へはみ出すように配置されている。尚、後車モータ３７は、端子３７ａを有しており、図示しない電線を介してパチンコ機１の基板と電気的に接続されている。
側車３８は、側車円盤４２に低い側壁４３を立てた桶状の部材であって、側車円盤４２の中心内側には、図示しない側車ギアが一体形成されており、その中心には、側車軸孔４４が開けられていて、図示しない側車軸が通されている。又、側車３８の側壁４３内側には、遊技球大の各空間を仕切る複数の小ラジアルリブ４５，４５・・と円リブ４６が形成されている。円リブ４６は、基部ほど側車３８中心寄りに下がるテーパを付されており、小ラジアルリブ４５，４５と円リブ４６と側壁４３で囲まれる空間において受け入れた１個の遊技球をその内側に保持可能となっている。尚、側車モータ３９は、端子３９ａを有しており、図示しない電線を介してパチンコ機１の基板と電気的に接続されている。
【００１５】
図６は後車３６及び側車３８ないしこれらのモータ３７，３９を外した状態の後部ユニット３２の後面側分解斜視説明図である。
後部ユニット３２のベース３５の下辺縁は、その上部より前方へ突出し且つ右側から中央へ次第に低くなるように傾斜した下レール部５０となっており、当該下辺縁中央には、階段孔５１が開けられている。
階段孔５１の前側左（図４，６では左右が逆になる）には、各段の左部に孔が開いている状態で左へ登っていくような階段状に形成された階段基部５２が配置されている。階段基部５２の前面には、前部ユニット３４を螺着するための前部ユニット取付部５３，５３（の一部）が設けられている。
そして、階段基部５２の各段に対応する上方への突出段５４，５４・・を有している可動段体５５が、階段孔５１や階段基部５２の下側に入れ込まれている。可動段体５５は、ガイド縦孔５６を有しており、階段基部５２に対して固定された図示しないガイド縦軸が入れられている。又、可動段体５５は、横穴５７を備えている。階段基部５２の各段や各突出段５４は、左上がりに傾斜している。尚、各段に孔を有する階段基部５２、及び当該孔に応じた突出段５４，５４・・を有する可動段体５５は、遊技球を段階的に上方へ運ぶ階段路を構成する。
更に、階段基部５２の最上段後側には、後車受渡孔５８が開けられている。後車受渡孔５８の後方には、後車３６の下部が位置する。階段基部５２の最上段は、後車受渡孔５８へ遊技球を案内するよう後下がりとなっており、階段基部５２の最上段に達した遊技球は、後車受渡孔５８を通じて、後車３６の下部にあるラジアルリブ４１の鉤状先端部に渡される。尚、後車受渡孔５８の上方には、後車モータ３７の回転軸を通す後車モータ軸孔５９が開けられている。
【００１６】
可動段体５５の後側には、後カバー６０が、ベース３５後面に対する螺着により取付けられている。後カバー６０は、段モータ６１の螺着孔６２，６２と、段モータ軸通過孔５３が開けられている。尚、段モータ６１は、端子６１ａを有しており、図示しない電線を介してパチンコ機１の基板と電気的に接続されている。
段モータ６１の回転軸には、小円盤６４と、その前面周部から前方へ突出させた小ロッド６５を有する回転体６６が固定されている。小ロッド６５は、可動段体５５の横穴５７に入れられており、回転体６６の回転時には、横孔５７内で横方向では拘束なく動きながら縦方向では横孔５７の境界壁を上げ下げすることにより、回転体６６の回転運動を、可動段体５５の上下動に変換する。可動段体５５の各突出段５４は、階段基部５２左部の開口部と同じ高さから、当該開口部より一段高い左隣の段の高さまでにおいて、上下動を行う。遊技球は、傾斜により最下点の突出段５４の上側（ないし階段基部５２の段の縦壁の右側）に入り、可動段体５５の上昇により持ち上げられ、最上点（付近）となった突出段５４から傾斜により左に移動して、順次段を上っていく。
【００１７】
そして、最上段に達した遊技球は、後車３６に渡され、後車３６の回転により、後部ユニット３２のベース３５の後面中央まで移動される。尚、後車３６は、後から見て時計回りに回転される。
ベース３５の後面中央から右上は、他の部分より前方へ（遊技球１個分強）概ね四辺形状に突出されており（後面において見ると四辺形状の窪み部となっており）、その段部が右下がりに傾斜する後中レール７０となる。
後中レール７０の右側後には、後中ガード７１が立てられており、後中ガード７１の右端には、側車受渡孔７２が開けられている。
【００１８】
後部ユニット３２のベース３５の右上であって、側車受渡孔７２の上側には、後方へ突出する右上リブ７４が立てられている。右上リブ７４の基部には、側車軸受７５が筒状に形成されている。又、右上リブ７４の先部には、側車モータ軸孔７６が形成されており、その両脇には、それぞれ左部を半筒状とし右部を筒状とした側車モータ取付孔７７，７７が形成されている。
更に、右上リブ７４の上方には、右を開放し他の三方を仕切った右上球受７８が形成されている。右上球受７８の底面は左下がりとなっており、遊技球２個分強の前後幅を有していて、左前角部において、縦孔７９の入口が開いている。尚、右上球受７８の右後部には、右側へ突出するバー８０が設けられている。バー８０は、側車３８の小ラジアルリブ４５と円リブ４６の間に入り込む。
加えて、右上球受７８の下側には、図示しない遊技球検出器との接続基板の収容部８１が形成されている。
【００１９】
側車３８の図示しない側車軸は、右上リブ７４の側車軸受７５に通される。又、側車モータ３９は、回転軸を側車モータ軸孔７６に通した状態で、側車モータ取付孔７７，７７を用い螺着される。当該回転軸の先端には、側車モータギア８２が固定されており、側車モータギア８２は、側車３８内面中心の図示しない側車ギアと噛み合う。
側車３８の小ラジアルリブ４５，４５間であって、最下方のものは、側車受渡孔７２に隣接し、側車受渡孔７２に向かって開口する。他方、最上方のものは、右上球受７８やバー８０と隣接する。遊技球は、側車３８の回転により、側車受渡孔７２から右上球受７８まで移動される。側車３８最上部から右上球受７８において、遊技球はバー８０により掻き出される（案内される）。右上球受７８に入った遊技球は、ベース３５前側の縦孔７９を落下する。尚、側車３８は、右から見て時計回りで回転される。
【００２０】
縦孔７９の下部から中央左にかけて、断面Ｌ字状（ベース３５前面と合わせると断面Ｕ字状）である左下がりの上通路８５が形成されている。
又、上通路８５の左側は、ベース３５右上における後方への凹部が位置しており、前部ユニット取付部５３，５３（の一部）が配置されている。
【００２１】
前部ユニット３４は、上通路８５の左側に配置されるカップ９０と、カップ下側の螺旋筒９１と、下通路部材９２と、振分装置９３を含む。
カップ９０は、碗状の部材であって、遊技球３個分程度の直径を有しており、後側であって上通路８５に対する隣接位置には、上通路８５からの遊技球を受ける樋９９が形成されている。又、カップ９０の底には、遊技球が通過可能な４個の図示しない孔が開けられている。当該孔は、カップ９０の底の中央に１個開けられ、その周囲において３個（これら３個の中心は三角形の頂点に配置される）開けられている。
【００２２】
螺旋筒９１は、遊技球３個分程度の直径を有する筒部１００と、筒部１００から左に突出した左開放箱状のモータ部１０１と、筒モータ１０２を含む。尚、筒モータ１０２は、端子１０２ａを有しており、図示しない電線を介してパチンコ機１の基板と電気的に接続されている。
筒部１００の内部には、遊技球１個分程度の幅の図示しない螺旋通路が形成されており、当該螺旋通路に囲まれた、遊技球の落下可能な縦孔が存在している。筒部１００の右下前には、右へ開放された出口１０３が配置されている。当該螺旋通路は、筒部１００の若干拡径された上部下側から、出口１０３までにおいて形成されている。カップ９０の中央の孔から落下した遊技球は、そのまま筒部１００の縦孔を落下し、それ以外の孔からの遊技球は、螺旋通路の上部に至って螺旋通路を通過していく。
モータ部１０１には、筒モータ１０２が、回転軸を内側に入れた状態で取付けられており、その回転軸には、揺動板１０４が接続されている。揺動板１０４は、筒モータ１０２の回転により、モータ部１０１内において左右に往復動作するように、筒モータ１０２と接続されている。揺動板１０４は、図示しない平突起を（複数）有しており、筒部１００の螺旋通路へ通じる図示しない（複数の）小孔から左右に出没するように、当該平突起が当該小孔に入っている。螺旋通路を螺旋状に降りる遊技球は、当該平突起が没している際に当該小孔付近を通過すればそのまま螺旋通路を降りていくが、当該平突起が出ている際に当該小孔付近を通過すると、当該平突起に衝突し、殆ど全ての場合において中央の縦孔にはじき飛ばされる（ごく稀に螺旋通路の別の箇所にジャンプする）。
【００２３】
下通路部材９２は、左から右への前下通路１０５と後下通路１０６を前後に有するものである。
前下通路１０５は、右端が左端より高いなだらかなＶ字状の遊技球レールであって、右端が筒部１００の出口１０３の下側に配置される。
後下通路１０６は、右端が左端より僅かに高い状態で傾斜した遊技球レールであって、右端が筒部１００の縦孔の下側に配置される。
そして、これらの左側に、振分装置９３が配置される。
【００２４】
［振分装置の構成等］
続いて、主に振分装置９３について説明する。
図７は振分装置９３の前面ないし右側面の説明図であり、図８は振分装置９３の分解斜視説明図である。
振分装置９３は、振分ベース１１０と、振分モータ１１１と、ベース前枠１１２と、アーム１１３と、振分モータギア（駆動歯車）１１４と、中央ギア１１５（歯車）と、外側回転体１１６と、内側回転体１１７を含む。
尚、振分モータ１１１は、端子１１１ａを有しており、図示しない電線を介してパチンコ機１の基板と電気的に接続されている。
【００２５】
振分ベース１１０は、上下左右に広がる中央壁１１９を有する部材であり、中央壁１１９の後面上部から後方に配置された左下がりの上樋１２０（第１領域あるいはこれへの通路）と、下通路部材９２の後下通路１０６右端部を左部において受け入れる中央壁１１９後下部の下球受１２１（第２領域あるいはこれへの通路）を有している。
下球受１２１の右部底面は、後下がりに傾斜している。下球受１２１の後下側には、後部ユニット３２の下レール部５０が位置しており、下球受１２１に入った遊技球は、下レール部５０に導かれる。ここで、仮に下レール部５０を遊技球の移動の開始点と捉えると、遊技球が開始点に戻ったことになり、遊技球の循環路が形成されたことになる。
上樋１２０の右端部上側であって、中央壁１１９の上部中央には、遊技球の通過可能な上孔１２２（第１開口）が開けられており、その右下であって、上樋１２０の下方には、下孔１２３（第２開口）が開けられている。上樋１２０の右側には、図示しない排出路が接続されており、上樋１２０に至った遊技球は、島設備等に排出される。
又、中央壁１１９の前面中央であって、上孔１２２の下（下孔１２３の左）の部分からは、回転体軸１２４が前方へ突設されていると共に、中央壁１１９の下辺縁は、前方へ突出する突出下縁１２５とされている。突出下縁１２５の上面右部は、外側回転体１１６の最外径面に沿うような円筒面状に形成されている。
【００２６】
ベース前枠１１２は、振分ベース１１０の突出下縁１２５の前面に取付けられる下枠部１３０から、モータ取付部１３１とアーム取付部１３２がそれぞれ上方へ突出したような形状となっている。
モータ取付部１３１には、振分モータ１１１の回転軸を通す回転軸孔１３３と、振分モータ１１１の螺着孔１３４，１３４が開けられている。
アーム取付部１３２の上端部は、下方ないし左右に開いた断面コ字状のアーム受１３５が形成されている。アーム受１３５の内側には、前後方向に沿う図示しない小軸が渡されている。
アーム１１３は、アーム受１３５の小軸に、Ｕ字状の一端を介してスイング可能に接続されるアーム基部１４０と、アーム基部１４０に対してスイング可能に接続されるアーム先部１４１を含む。アーム先部１４１は、一端に形成した図示しない前後方向の小軸を、アーム基部１４０のＯ字状（輪状）の他端に対して入れ込むことで、スイング可能に接続される。
【００２７】
振分モータギア１１４は、振分モータ１１１の回転軸先端に固定される。
中央ギア１１５は、振分モータギア１１４と噛み合っており、前面周縁に小突体１４２を有すると共に、中心に軸螺着孔１４３を有しており、更にその両脇に内側回転体螺着孔１４４，１４４が開けられている。
小突体１４２には、アーム先部１４１の輪状の先端部が入れられている。
【００２８】
外側回転体１１６は、水車状の部材であって、前後軸を取り巻くような筒部１４５の外曲面から外方に向けて、複数（６個）の球受腕１４６ａ，１４６ｂ・・が、等間隔に突設されている。
球受腕１４６ａ（第１外側球受）は、前後で同じ肉厚であると共に、先端が鉤状に曲がっており、筒部１４５と共に回転する際に１個の遊技球を保持可能になっている。球受腕１４６ａは、１個配置されている。球受腕１４６ａの根元における筒部１４５には、１個の遊技球が通過可能な案内孔１４６ｃが開けられている。
球受腕１４６ｂ（第２外側球受）は、前程厚みが増すようにされて遊技球を後方へ案内可能にされており、先端に鉤部は設けられていない。球受腕１４６ｂは、合計５個配置されている。
筒部１４５の前面には、透光性を有するドーナツ板状の透明板１４７が固定されている。透明板１４７の中央孔１４８周りの前面外縁には、Ｏ字状に前方に盛り上がっていて内面に内歯が形成されている内歯部１４９が配置されている。
振分モータギア１１４は、内歯部１４９と噛み合っている。
【００２９】
内側回転体１１７は、外側回転体１１６の筒部１４５や透明板１４７の内側に入るような、１個の遊技球の直径強の前後の厚みを有する円盤状の部材であって、内側外曲面１５４から内方へ凹む凹部１５５ａ，１５５ｂ・・を備えている。凹部１５５ａ，１５５ｂ・・は、その開口部が外側回転体１１６の球受腕１４６ａ根元の案内孔１４６ｃに対して重なると、球受腕１４６ａと内側外曲面１５４に支持されて移動されてきた遊技球を受け入れる。
各凹部１５５ａの底や凹部１５５ｂの一側面（上に位置する際の右側面）は、後下がりとされている。又、凹部１５５ａ（第１内側球受）は、凹部１５５ｂ（第２内側球受）より浅く形成されており、底において遊技球を支持する際、凹部１５５ａの遊技球支持位置が凹部１５５ｂの遊技球支持位置と異なる（前者が後者より外側に配置される）ものとなっている。
よって、凹部１５５ａが上孔１２２と隣接すると、互いの底が合致して、遊技球が上孔１２２に入り上樋１２０に至る一方、凹部１５５ｂが上孔１２２と隣接しても、凹部１５５ｂの底が上孔１２２の底より低くなって、遊技球が中央壁１１９に遮られ、上孔１２２や上樋１２０に入れないようになっている。
又、凹部１５５ａが下孔１２３と隣接しても、凹部１５５ａの外側部分が下孔１２３外部の中央壁１１９に遮られて、遊技球が下孔１２３や下球受１２１に入れない一方、凹部１５５ｂが下孔１２３と隣接すると、凹部１５５ｂの一側面（上に位置する際の右側面）と下孔１２３の底が合致すると共に、凹部１５５ｂの底と下孔１２３の左辺が合って、遊技球が下孔１２３に入り、下球受１２１に至るようになっている。
加えて、内側回転体１１７の前面中央には、透明板１４７の中央孔１４８と同様の大きさで円盤状に突出した中央盤部１５６が形成されている。中央盤部１５６の中央には、内側回転体軸受１５７が開けられており、その両側には、中央ギア１１５螺着用の中央ギア取付孔１５８が開けられている。
【００３０】
振分装置９３では、振分ベース１１０の回転体軸１２４を内側回転体１１７の内側回転体軸受１５７に入れ、その外側において外側回転体１１６を回転可能に配置する。ここで、外側回転体１１６の透明板１４７の中央孔１４８から、内側回転体１１７の中央盤部１５６を出した状態で、中央ギア取付孔１５８に中央ギア１１５が螺着される。又、軸螺着孔１４３を通じ、回転体軸１２４先端に対し、内側回転体１１７が回転可能であるように図示しないネジが入れられ、内側回転体１１７や外側回転体１１６の前後方向への移動が規制される。
更に、振分モータギア１１４が、内側回転体１１７と一体の中央ギア１１５、及び外側回転体１１６の内歯部１４９と噛み合うように、又アーム１１３と中央ギア１１５が蒸気機関車の連結棒の如くリンクされるように、振分モータ１１１及びアーム１１３付きのベース前枠１１２が、振分ベース１１０に取付けられる。
振分モータギア１１４の歯数に対し、中央ギア１１５の歯数は同程度である一方、内歯部１４９の３分の１程度であるため、内側回転体１１７は外側回転体１１６の３倍程度の回転速度で回転する。尚、振分モータギア１１４は前から見て時計回りで回転し、内歯部１４９を介して外側回転体１１６が時計回りで回転され、中央ギア１１５を介して内側回転体１１７が反時計回りで回転される。
【００３１】
［遊技球移動装置の動作等］
続いて、主に遊技球移動装置３１の作動について説明する。
パチンコ機１の制御装置は、電源が投入されている間（遊技動作中）、遊技球移動装置３１の各種のモータを回転させる。
【００３２】
遊技球移動装置３１は、遊技領域の下部から、遊技球（例えばアウト球）を、右上球受７８において受け取る。
右上球受７８は、傾斜により、遊技球を縦孔７９に入れる。遊技球は、後部ユニット３２のベース３５の前面側に来る。
縦孔７９は、落下する遊技球を、上通路８５の右側に案内し、上通路８５は、遊技球を、傾斜により、前部ユニット３４のカップ９０の樋９９まで送る。
【００３３】
カップ９０は、遊技球を、中央の孔かその周囲の３つの孔の何れかにおいて落下させる。
螺旋筒９１は、カップ９０の底における中央の孔から落下した遊技球を、筒部１００内の縦孔においてそのまま落下させ、下通路部材９２の後下通路１０６の左側に至るようにする。
他方、螺旋筒９１は、カップ９０の底における中央以外の孔から落下した遊技球を、螺旋通路に沿って移動させ、筒部１００の出口１０３に到達させて、下通路部材９２の前下通路１０５の左側に至るようにする。但し、螺旋通路に出没する平突起が、タイミング（遊技球が平突起出没部を通過する際に突出する等）により、遊技球を、筒部１００内の縦孔に押し出すことがあり、この場合、後下通路１０６の左側に至らせることとなる。
【００３４】
後下通路１０６は、傾斜により、遊技球を、右方の振分装置９３の下球受１２１まで送る。
下球受１２１は、傾斜により、遊技球を後部ユニット３２の下レール部５０の右側に送る。
下レール部５０は、傾斜により、遊技球を可動段体５５の最下段に送る。
可動段体５５の最下段は、遊技球移動装置３１における遊技球通過可能位置の最下方の一つとなり、遊技球は、最上方である右上球受７８から当該最下方まで下降を案内される。よって、右上球受７８、縦孔７９、上通路８５、カップ９０、螺旋筒９１、下通路部材９２、下球受１２１、下レール部５０は、下降手段を構成する。
【００３５】
可動段体５５は、上昇により遊技球を左隣における階段基部５２の段に移動させ、当該段は下降した次の突出段５４に遊技球を送る。これを最上の突出段５４まで繰り返し、遊技球を後車受渡孔５８まで届ける。
後車受渡孔５８は、遊技球を後車４０の前壁に当てる。
後車４０は、回転により、ラジアルリブ４１先端鉤部により遊技球を後中レール７０の左側まで運ぶ。より詳しくは、後車４０の半周程度の回転によりラジアルリブ４１がベース３５後面の四辺形状窪み部に達すると、遊技球がラジアルリブ４１を伝って落下し、後中レール７０の左側に案内される。
後中レール７０は、その傾斜により遊技球を右側の側車受渡孔７２に案内し、遊技球を側車３８における小ラジアルリブ４５，４５と円リブ４６で仕切られる空間に渡す。
側車３８は、回転により、遊技球を右上球受７８の隣接位置（最上方）まで運び、バー８０に当てることで右上球受７８に入れ、遊技球を最初の受取位置に循環させる。
階段基部５２及び可動段体５５（階段路）、後車４０、（後中レール７０、）並びに側車３８は、遊技球を上方に運ぶので、上昇手段を構成する。
そして、右上球受７８から下レール部５０までの下降手段と、下レール部５０左側の階段路から右上球受７８までの上昇手段により、遊技球が循環する循環路が形成されている。
【００３６】
他方、前下通路１０５は、左半部の傾斜により遊技球を勢い良く右半部へ送り、右半部の上り坂を登らせて、振分装置９３における中央壁１１９の左前側に到達させる。
尚、前下通路１０５の谷底部も遊技球通過可能位置の最下方の一つとなるが、遊技球はすぐに当該最下方を通過して、振分装置９３に供給される。振分装置９３は、後述するように、下レール部５０より上方の排出路（上樋１２０）又は循環路（下球受１２１）の何れかに遊技球を振分けるため、振分装置９３も下降手段と共に遊技球の下降の役目を担うとみることもできる。
【００３７】
［振分装置の動作等］
次いで、主に振分装置９３の作動について説明する。
振分モータ１１１の回転により、振分モータギア１１４が駆動される。振分モータギア１１４は、内歯部１４９を介して外側回転体１１６を時計回りに回転させると共に、中央ギア１１５を介して内側回転体１１７を反時計回りに回転させる。
中央ギア１１５が回転すると、小突体１４２を介してアーム先部１４１の先端が回転運動され、これに伴いアーム先部１４１やアーム基部１４０が、蒸気機関車の車輪に対する連結リンクのように連動する。
【００３８】
振分装置９３の外側回転体１１６における球受腕１４６ａ，１４６ｂ・・の何れかは、中央壁１１９の左前側に到達した遊技球を、外側回転体１１６の回転移動によりすくい上げる。
球受腕１４６ｂは、四半周程して中央壁１１９が後側に位置しなくなった時点で、遊技球を中央壁１１９の後方へ落とし、下球受１２１に至らせる。
他方、球受腕１４６ａは、先端鉤部やその根元の案内孔１４６ｃ（に現れる内側回転体１１７の内側外曲面１５４）において遊技球を保持し、案内孔１４６ｃと内側回転体１１７の凹部１５５ａ，１５５ｂ・・の何れかが合致するのを待つ。外側回転体１１６は内側回転体１１７より回転速度が遅いので、外側回転体１１６が四半周強程回転すれば、程なく（更に四半周するまでに）凹部１５５ａ，１５５ｂ・・の何れかが案内孔１４６ｃと合致することとなる。
球受腕１４６ａが外側回転体１１６の上半部に達した状態で、凹部１５５ａ，１５５ｂ・・の何れかと案内孔１４６ｃが合致することで、遊技球を凹部１５５ａ，１５５ｂ・・の何れかに落下させて受け取らせる。
【００３９】
凹部１５５ｂは、内側回転体１１７の回転により移動し、受け入れた遊技球を、自身の底ないし側面や筒部１４５内曲面において運び、下孔１２３まで届ける。凹部１５５ｂは、下孔１２３と合致すると、一側面（当該合致時の下面あるいは上に位置する際の右側面）の傾斜により、重力の作用で底に位置している遊技球を後方へ移動させて下孔１２３から落下させ、下球受１２１に振分ける。
下球受１２１は、下レール部５０を始めとする循環路に遊技球を供給する。
他方、凹部１５５ａは、凹部１５５ｂと同様に遊技球を運ぶ。凹部１５５ａは、下孔１２３の隣接位置に達しても、下孔１２３に対して左半部しか露出せず、右半部が振分ベース１１０の中央壁１１９に遮られるため、下孔１２３に遊技球を送らず、遊技球を保持したまま当該隣接位置を通過して回転による移動を続ける。そして、凹部１５５ａは、上孔１２２に合致すると、遊技球を後方に送り、上孔１２２を介して上樋１２０へ振分ける。
上樋１２０は、排出路に遊技球を導く。
即ち、振分装置９３の外側回転体１１６と内側回転体１１７等は、遊技球を、排出させるための上孔１２２（上樋１２０）、あるいは循環させるための下孔１２３（下球受１２１）の何れか一方に振分ける。
【００４０】
［パチンコ機の効果等］
以上のパチンコ機１では、遊技球を移動させる遊技球移動装置３１を備えており、遊技球移動装置３１は、遊技球を上昇させる上昇手段（階段基部５２及び可動段体５５、後車４０、（後中レール７０、）並びに側車３８）、及び遊技球の下降を案内する下降手段（右上球受７８、縦孔７９、上通路８５、カップ９０、螺旋筒９１、下通路部材９２、下球受１２１、下レール部５０）を含む遊技球の循環路と、遊技球を、前記循環路又は排出路に振分ける振分装置９３とを備えている。
よって、新たに流入する遊技球と、振分装置９３に排出されないように振分けられて循環路に循環する遊技球とが遊技球移動装置３１を移動し、遊技球の移動態様を多彩なものとすることができ、遊技球の移動を面白味のあるものとすることができる。又、遊技球が排出される一方ではなく、循環する遊技球もあるため、遊技球移動装置３１内を移動する遊技球の数を増やすことができ、面白味のある遊技球の移動を、長い時間、迫力のある状態で行うことができる。
【００４１】
又、前記上昇手段には、階段路（階段基部５２及び可動段体５５）が含まれており、当該階段路は、複数の段、及び各当該段ごとに開けられた孔を有する階段基部５２と、当該孔に対応する突出段５４，５４・・を有しており、突出段５４が対応する段の孔に対し出没するように上下動可能に設置される可動段体５５とを備えている。
よって、遊技球が一段一段上っていくような興味深い移動を、遊技球の循環に必要な上昇手段において遊技者に提供することができる。
【００４２】
尚、以上のパチンコ機１では、遊技球を上樋１２０又は下球受１２１に振分ける振分装置９３を備えており、振分装置９３は、遊技球の支持位置が互いに相違する凹部１５５ａ及び凹部１５５ｂを有する内側回転体１１７と、内側回転体１１７の外周に配置された、球受腕１４６ａ、及び球受腕１４６ａから凹部１５５ａ，１５５ｂの何れかへ遊技球を案内可能な案内孔１４６ｃを有する外側回転体１１６と、凹部１５５ａ，１５５ｂにおける遊技球の各支持位置に応じ、互いに外側あるいは内側にずれて配置された、上樋１２０への上孔１２２及び下球受１２１への下孔１２３を有する振分ベース１１０とを備えており、外側回転体１１６の内側回転体１１７に対する相対回転により、外側回転体１１６の案内孔１４６ｃから、内側回転体１１７の凹部１５５ａ，１５５ｂの何れかに遊技球を案内すると共に、内側回転体１１７の振分ベース１１０に対する相対回転により、上孔１２２又は下孔１２３まで遊技球を支持しつつ移動する。
従って、外側回転体１１６の占有スペースにおいて、これと内側回転体１１７の相対回転を利用した手の込んだ遊技球の振分を実行することができ、複雑で興味深い振分をコンパクトに行うことができる。
【００４３】
又、パチンコ機１では、外側回転体１１６は、その外周に沿う内歯部１４９を有しており、内側回転体１１７には、中央ギア１４２が連結されており、更に、内歯部１４９及び中央ギア１１５の双方に噛み合っており、振分モータ１１１により駆動される振分モータギア１１４が設けられている。
よって、１個の駆動源により外側回転体１１６及び内側回転体１１７の双方を駆動することができ、より一層の省スペース化を図ることができる。
又、単独の歯車である振分モータギア１１４に対し、やはり単独の歯車である中央ギア１４２と内歯部１４９がそれぞれ直接噛み合っているため、外側回転体１１６と内側回転体１１７の互いに逆方向となる各回転を極めてコンパクトに実行することができ、互いに異なる方向における回転という興趣深い動作をシンプル且つ円滑に実行することができる。
【００４４】
加えて、外側回転体１１６は、更に球受腕１４６ｂを有しており、球受腕１４６ｂは、遊技球を、上樋１２０以外の領域である下球受１２１に導く。
従って、内側回転体１１７の凹部１５５ａ，１５５ｂの何れかへの振分に加え、球受腕１４６ａ，１４６ｂの何れにすくわれるかによる振分も行え、興趣高い複数段階の振分を極めてコンパクトな装置において実行することができる。
【００４５】
又更に、振分装置９３直前の前下通路１０５が右端が左端より高いなだらかなＶ字状に形成されており、遊技球が下り坂により加速して登り坂を勢い良く登った状態で振分装置９３に供給されるため、遊技球の振分に対する興味を振分装置９３に対する遊技球導入の動きにより喚起することができる。又、アーム１１３のリンクとしての動きにより、外側回転体１１６や内側回転体１１７の回転の様子あるいは振分装置９３の振分動作をより一層興味深いものとすることができる。
更に、前下通路１０５を含む下通路部材９２の奥には可動段体５５と組合わせられる階段基部５２が配置されて遊技球を一段ずつ登らせる様子を視認可能とされていたり、後車３６や側車３８（の一部）の回転の様子あるいは螺旋筒９１の揺動板１０４（の一部）の揺動の様子が前面側から視認可能とされていたり、カップ９０における遊技球の鉛直軸周りの円運動ないし何れかの孔への振分の様子が視認可能とされていたり、下通路部材９２の前下通路１０５かあるいは後下通路１０６か何れを通過するように振分けられたかが視認可能とされたりしているので、遊技球の動きや振分の様子をアピールして、遊技者に興味を持ってもらうことができる。
【００４６】
［変更例等］
尚、主に上記形態を変更して成る、本発明の他の形態を例示する。
下球受に振分けた遊技球を循環させず、上樋と同じ又は別の排出路に排出させたり、上樋に振分けた遊技球を循環させたりする。上樋に移動された遊技球を検知して入賞と扱い、遊技球が多く払出される特定入賞口の開放あるいはそのための抽選等が行われるようにして良いし、下球受に移動された遊技球について入賞と扱っても良いし、上樋からの遊技球の検知と下球受からの遊技球の検知で異なる入賞状態ないし遊技状態としても良い。又、かような遊技球の検知や入賞状態の生起等を行わなくても良い。
内側回転体の凹部や外側回転体の球受腕の種類を１種類あるいは３種類以上としたり、鉤付きの球受腕を複数にする等同種類における設置数を増減したり、外側回転体の案内孔を複数としたり、振分ベースにおける上孔及び下孔に加えて中孔や第４の孔等を適宜追加したり、外側回転体において案内孔に導かれない遊技球を下球受ではない別の領域に振分けたり、振分モータギアと中央ギアあるいは内歯部との間に別の歯車（群）を介装したり、アームや螺旋筒の揺動板ないし筒モータを省略したり、カップの底における孔の数を増減したり、後車のラジアルリブや側車の小ラジアルリブの数を増減したりする等、設置数や設定数等を適宜増減し、あるいは設置や設定等を省略する。
遊技領域あるいはアウト領域等から最初に遊技球を受取る領域を、下レール部を始めとする他の領域とする。
球受腕を凹部としたり、凹部を球受腕としたり、内側回転体や外側回転体を円錐状としたり、全ての球受腕に鉤部を設けたりする等、各種部材や部位の形状を適宜変更する。
遊技球移動装置における階段路や螺旋筒、側車や後車等の一部を省略したり、配置や順序等を変更したりする。
又、アレンジボール機やじやん球遊技機を始めとする、パチンコ機以外の遊技機に適用する。
【符号の説明】
【００４７】
１・・パチンコ機（遊技機）、３１・・遊技球移動装置、３８・・側車、４０・・後車、５０・・下レール部、５２・・階段基部、５５・・可動段体、７８・・右上球受、７９・・縦孔、８５・・上通路、９０・・カップ、９１・・螺旋筒、９２・・下通路部材、９３・・振分装置、１１０・・振分ベース、１１１・・振分モータ、１１４・・振分モータギア（駆動歯車）、１１５・・中央ギア（歯車）、１１６・・外側回転体、１１７・・内側回転体、１２０・・上樋（第１領域）、１２１・・下球受（第２領域）、１２２・・上孔（第１開口）、１２３・・下孔（第２開口）、１４６ａ・・球受腕（第１外側球受）、１４６ｂ・・球受腕（第２外側球受）、１４６ｃ・・案内孔、１４９・・内歯部、１５５ａ・・凹部（第１内側球受）、１５５ｂ・・凹部（第２内側球受）。
【図１】
2014008088.tif 000003
【図２】
2014008088.tif 000004
【図３】
2014008088.tif 000005
【図４】
2014008088.tif 000006
【図５】
2014008088.tif 000007
【図６】
2014008088.tif 000008
【図７】
2014008088.tif 000009
【図８】
2014008088.tif 000010